(57)【特許請求の範囲】
【請求項１】
幼児を覆って保護する幌装置において、
基部と、
基部に設けられた複数の枠体と、
各枠体に掛け渡された幌本体と、を備え、
幌本体のうち、幼児の背面側を覆う背面部は、後方の枠体に固定され、この背面部の所望の領域は、下方へ向かって先細となるテーパ形状を有するとともに、他の部分から分離線に沿って分離自在となっており、他の部分から分離自在となっている幌本体の所望領域の内側には、メッシュ材が設置され、
幌本体の分離線にはファスナーが取り付けられており、
他の部分から分離可能となっている幌本体の所望領域は、ファスナーの開閉により他の部分から分離自在となっており、
幌本体には、他の部分から分離線に沿って分離した幌本体の所望領域を保持する保持具が取り付けられ、分離線の上端は後方の枠体まで延び、かつ幌本体の所望領域は後方の枠体まで他の部分から分離自在となっている、ことを特徴とする幌装置。
【発明の詳細な説明】
【０００１】
【発明の属する技術分野】
本発明は、陽射しや風を遮断するための幌本体を備えた幌装置に係り、とりわけ幌本体内部の通気性を確保する幌装置に関する。
【０００２】
【従来の技術】
従来より、ベビーカー等の上方を幌本体で覆って、ベビーカー等の内部を陽射しや風から守る幌装置が知られている。
【０００３】
一般に、このような幌装置は、ベビーカー等の基部に設けられた複数の枠体に、幌本体が掛け渡されて構成されている。また、幌装置の幌本体は、陽射しや風を遮断するために、全体に渡って気密性の高い布材等が用いられている。
【０００４】
【発明が解決しようとする課題】
上述のように、幌装置の幌本体は、その全体に渡って気密性の高い布材等が用いられて、陽射しや風を遮っている。
【０００５】
しかしながら、幌本体全体に渡って用いられる布材等は気密性が高いので、幌本体内部に対する適切な通気性を確保することが難しい。
【０００６】
本発明は、このような点を考慮してなされたものであり、陽射しや風を適切に遮断するとともに、幌本体の内部に対する通気性を確保することができる幌装置を提供することを目的とする。
【０００７】
【課題を解決するための手段】
本発明は、幼児を覆って保護する幌装置において、基部と、基部に設けられた複数の枠体と、各枠体に掛け渡された幌本体と、を備え、幌本体のうち、幼児の背面側を覆う背面部は、後方の枠体に固定され、この背面部の所望の領域は、下方へ向かって先細となるテーパ形状を有するとともに、他の部分から分離線に沿って分離自在となっており、他の部分から分離自在となっている幌本体の所望領域の内側には、メッシュ材が設置され、幌本体の分離線にはファスナーが取り付けられており、他の部分から分離可能となっている幌本体の所望領域は、ファスナーの開閉により他の部分から分離自在となっており、幌本体には、他の部分から分離線に沿って分離した幌本体の所望領域を保持する保持具が取り付けられ、分離線の上端は後方の枠体まで延び、かつ幌本体の所望領域は後方の枠体まで他の部分から分離自在となっている、ことを特徴とする幌装置である。
【０００８】
本発明によれば、幌本体の所望の領域は、他の部分から分離線に沿って分離自在となっており、他の部分から分離自在となっている幌本体の所望領域の内側にはメッシュ材が設置されているので、幌本体の所望の領域を他の部分から分離することにより、幌本体内部に対する通気性がメッシュ材を介して確保されることとなる。
【０００９】
好ましくは、幌本体の分離線部にはファスナーが取り付けられており、他の部分から分離可能となっている幌本体の所望領域は、ファスナーの開閉により他の部分から分離自在となっている。
【００１０】
好ましくは、幌本体は、気密性の高い材料からなる。
【００１１】
好ましくは、幌本体には、他の部分から分離線に沿って分離した所望領域の幌本体を保持する保持具が取り付けられている。
【００１２】
【発明の実施の形態】
以下、図面を参照して本発明の一実施の形態について説明する。
【００１３】
図１乃至図３は本発明の一実施形態を示す図である。このうち図１は本発明による幌装置を備えたベビーカーを示す斜視図であって幌本体の分離部と他の部分が連結されている状態を示す図であり、図２は本発明による幌装置を備えたベビーカーを示す斜視図であって幌本体の分離部と他の部分が分離した状態を示す図である。また、図３は、幌本体に取り付けられた受け側保持具と差込側保持具とからなる収納具を示す幌装置の拡大図である。図４はベビーカーの斜視図であり、図５はベビーカーの折り畳んだ状態を示す構成図である。
【００１４】
まず、図１、図２、図４、および図５により本発明による幌装置１を有するベビーカー２全体について説明する。
【００１５】
図１、図２、および図４に示すように、ベビーカー２は、ベビーカー本体６０と、このベビーカー本体６０に設けられたクッション性を有するベビーシート７と、ベビーカー本体６０に設けられた幌装置１と、を備えている。
【００１６】
図４に示すように、ベビーカー本体６０は、前輪６１を有する左右一対の前脚６２、後輪６３を有する左右一対の後脚６４、ほぼＵ字状に屈曲された手押杆６５、左右一対のアームレスト６６、及びその両アームレスト６６，６６の間に掛け渡された着脱可能なガードアーム６７によって構成されている。上記手押杆６５を構成する左右のパイプ６８の先端近傍部にはそれぞれ上記アームレスト６６の一端が枢着されており、その各アームレスト６６の他端に前脚６２の頂端部が枢着されている。また、左右の後脚６４の頂端部も上記アームレスト６６の中間部に枢着されており、その後脚６４の中間部にはく字状に屈曲されたブラケット６９の一端が枢着されている。そして、そのブラケット６９の中間位置に前記手押杆６５を構成する左右のパイプ６８の先端部がそれぞれ枢着されており、ベビーカーの展開状態において、上記ブラケット６９の他端に形成された係合部に上記パイプ６８の下端部に摺動可能に装着されたロック部材７０が係合し、その展開状態を維持するようにしてある。
【００１７】
一方、上記左右の前脚６２は前側連結バー７１によって連結されており、左右の後脚６４は後側連結バー７２によって連結されている。さらに、各前脚６２の中間部には連結バー７３の前端が枢着され、その連結バー７３の後端が上記ブラケット６９とともにパイプ６８の先端部に枢着されている。
【００１８】
しかして、図４に示すように、パイプ６８の下端に設けられているロック部材７０をブラケット６９の上端に設けられている係止部に係合することによって、ベビーカーが使用可能な展開状態に保持される。一方、手押杆６５に設けられている操作装置７５を操作することにより上記ロック部材７０とブラケット６９との係合が離脱されると、アームレスト６６及び連結バー７３が前記パイプ６８と各枢着点を中心として上方に揺動可能となり、前脚６２と後脚６４とがほぼ平行状態に揺動され、携帯に便利なように折り畳むことができる。
【００１９】
ところで、手押杆６５、前側連結バー７１、後側連結バー７２、及び上側連結バー７４は、２つの同一垂直面内において各中間部の２個所がジョイントにより折畳み可能としてある。したがって、上述のように前脚６２と後脚６４が平行状態に折り畳んだ後、左右のパイプ６８を前方に移動させると、上記手押杆６５、前側連結バー７１、後側連結バー７２及び上側連結バー７４の両側部が前方に折り曲げられ、ベビーカーを図５に示すようにさらにコンパクトに折り畳むことができる。すなわち、三つ折り状態に折り畳むことができる。
【００２０】
他方、図４に示すように、ベビーシート７は主として乳幼児が座る座板７ａと、背中を保持する背板７６とによって構成されている。
【００２１】
背板７３は、図示しない固定装置によって乳幼児の状態に合わせて座板７２に対して複数の傾斜位置に固定可能としてある。また、上記背板７３の上端部にはヘッドレスト７４が揺動可能に枢着されている。
【００２２】
また、上記座板７２の前縁部には足受け板取付具７６が進退可能に取り付けられている。一方、ベビーシート７の座板７２の下面には、下端が開口し上方に延びる溝４２が形成された少なくとも一つの板状の係止部材４３が突設されている。また、ベビーシート７には、背板７３の折り畳み位置を規制するサイドプレート３２が設けられている。
【００２３】
次に、本発明による幌装置１について詳述する。
【００２４】
図１および図２に示すように、幌装置１は、パイプ６８に設けられた枠体取り付け用の基部６と、基部６に回動自在に設けられた複数、例えば２本の枠体３ａ、３ｂと、各枠体３ａ、３ｂに掛け渡されてベビーシート７内の幼児の上方から背面側を覆うように設けられた幌本体５とを備えている。図１および図２に示す幌装置１において、枠体３ａ、３ｂは、反時計回り方向にそれぞれ第一枠体３ａと、第二枠体３ｂとからなっている。
【００２５】
第一枠体３ａと第二枠体３ｂとに掛け渡された幌本体５のうち、ベビーシート７内の幼児の背面側を覆う幌本体５の背面部５ｃは、第二枠体３ｂに着脱自在となっており、第二枠体３ｂに接着することにより固定されている。ベビーシート７に載せられた幼児は、このようにベビーシート７内の幼児の上方から背面側に渡って設けられた幌本体５によって、陽射しや風から守られている。なお、幌本体５は、気密性の高い布材からなっており、陽射しや風を遮るのに適している。
【００２６】
図１に示すように、幌本体５の背面部５ｃには、第二枠体３ｂに向かって延びる分離線１１が２本設けられており、各分離線１１の下端は切り欠き線１１ａにより互いに連結されるとともに、各分離線１１にはファスナー４がそれぞれ取り付けられている。２本の分離線１１および切り欠き線１１ａにより囲まれた幌本体５の分離部５ａは、ファスナー４を開閉することにより、分離線１１に沿って幌本体５の他の部分５ｂから分離自在となっている。
【００２７】
図２および図３に示すように、幌本体５の分離部５ａの内側には、通気性に優れたメッシュ材８が設置されている。このため、幌本体５の分離部５ａが他の部分５ｂから分離した場合には、このメッシュ材８が外方へ露出することとなる。
【００２８】
図３に示すように、第二枠体３ｂ近傍における分離部５ａの表面には受け側保持具１２ａが取り付けられ、他方、第二枠体３ｂ近傍における分離部５ａの裏面には受け側保持具１２ａと係合する差込側保持具１２ｂが取り付けられており、受け側収納具１２ａと差込側収納具１２ｂとを係合させることにより保持具１２が構成される。幌本体５の他の部分５ｂから分離した分離部５ａは、受け側保持具１２ａと差込側保持具１２ｂとからなる保持具１２よって吊り下げられて保持される。
【００２９】
次に、このような構成からなる本実施の形態の作用について説明する。
【００３０】
ベビーカー２のベビーシート７内に幼児が載せられると、手押杆６５を押してベビーカー２全体を移動させることにより、幼児を移動することができる。このときベビーシート７内の幼児は、ベビーカー２のベビーシート７に取り付けられた幌装置１により、陽射しや風から守られている。
【００３１】
この幌装置１において、通常の使用態様では、図１に示すように、各分離線１１に取り付けられたそれぞれのファスナー４が閉められる。このときベビーシート７内の幼児は、その上方から背面側に渡って気密性の高い布材からなる幌本体５により覆われる。このように、ベビーシート７内の幼児の上方から背面側に渡って気密性の高い布材からなる幌本体５により覆われる場合、幌本体５により、ベビーシート７内の幼児を効果的に陽射しや風から守ることができる。従って、ファスナー４が閉められて幌本体５の分離部５ａが他の部分５ｂに連結している場合には、幌本体５によりベビーシート７内の幼児の上方から背面側を覆うことができ、ベビーシート７内の幼児に対する保温を確保することができる。また、この場合、分離部５ａは内側のメッシュ材８を覆うこととなるので、外部からメッシュ材８を介してベビーシート７内の幼児を覗くことを防ぐとともに、メッシュ材８を外観的に隠すことができる。
【００３２】
他方、夏場等において、ベビーシート７内の通気性を確保したい場合には、各分離線１１に取り付けられたそれぞれのファスナー４を開いて、幌本体５の分離部５ａを他の部分５ｂから分離することにより、ベビーシート７内の幼児に対する通気性が十分に確保される。
【００３３】
すなわち、各分離線１１のファスナー４を開くことにより、幌本体５の分離部５ａは他の部分５ｂから分離線１１に沿って分離する。分離部５ａを他の部分５ｂから分離すると、分離部５ａの内側に設置されたメッシュ材８が外方へ露出する。このとき、メッシュ材８は通気性に優れているので、露出したメッシュ材８を介してベビーシート７内の幼児に対する十分な通気性が確保される。
【００３４】
なお、幌本体５の他の部分５ｂから分離した分離部５ａは、以下のようにして受け側保持具１２ａと差込側保持具１２ｂとに吊り下げられて保持される。
【００３５】
すなわち、幌本体５の他の部分５ｂから分離した分離部５ａを筒状に巻き取った後に、筒状となった分離部５ａを受け側保持具１２ａと差込側保持具１２ｂとにより挟み込んで、受け側保持具１２ａと差込側保持具１２ｂとを係合する。これにより、分離部５ａは、受け側保持具１２ａと差込側保持具１２ｂとからなる保持具１２により吊り下げられて保持される。
【００３６】
以上説明したように、本実施の形態によれば、ファスナー４を開くことにより、幌本体５の分離部５ａは分離線１１に沿って他の部分５ｂから分離され、メッシュ材８が外方へ露出する。これにより、幌装置１は、その幌本体５によりベビーシート７に収納された幼児を陽射しや風から守るとともに、そのメッシュ材８を介してベビーシート７内の幼児に対する通気性を確保することができる。
【００３７】
他方、ファスナー４を閉めた場合は、幌本体５の分離部５ａはメッシュ材８を覆うことになる。この場合は、幌装置１により、より効果的に陽射しや風を防ぐことができ、ベビーカー２内の幼児に対する保温を確保することができる。また、外部からメッシュ材８を介してベビーシート７内の幼児を覗くことを防ぐとともに、メッシュ材８を外観的に隠すことができる。
【００３８】
このように、ベビーカー２の幌装置１は、ベビーカー２の使用態様に応じてファスナー４を開閉して、幌本体５の他の部分５ｂから分離部５ａを分離したり連結して、ベビーシート７内の幼児に対する通気性を調整することができる。
【００３９】
また、幌本体５の他の部分５ｂから分離した分離部５ａは、受け側保持具１２ａと差込側保持具１２ｂとからなる保持具１２に吊り下げられて保持されるので、分離した分離部５ａをコンパクトに収納保持することができ、分離部５ａがメッシュ材８による通気を阻害しないようになっている。
【００４０】
【発明の効果】
以上説明したように、本発明によれば、幌本体の所望の領域は、他の部分から分離線に沿って分離自在となっており、この分離自在となっている領域の内側にはメッシュ材が設置されているので、この幌本体の分離自在となっている領域を他の部分から分離させることにより、メッシュ材を介して幌本体内部に対する通気を確保することができる。
【図面の簡単な説明】
【図１】本発明による幌装置を備えたベビーカーの斜視図であって、幌本体の分離部が他の部分に連結している状態を示す図。
【図２】本発明による幌装置を備えたベビーカーの斜視図であって、幌本体の分離部が他の部分から分離した状態を示す図。
【図３】幌本体に取り付けられた受け側保持具と差込側保持具とからなる収納具を示す幌装置の拡大図。
【図４】ベビーカーの斜視図。
【図５】ベビーカーの折り畳んだ状態を示す構成図。
【符号の説明】
１  幌装置
２  ベビーカー
３ａ  第一枠体
３ｂ  第二枠体
４  ファスナー
５  幌本体
５ａ  幌本体の分離部
５ｂ  幌本体の他の部分
５ｃ  幌本体の背面部
６  基部
７  ベビーシート
８  メッシュ材
１１  分離線
１１ａ  切り欠き線
１２  保持具
１２ａ  受け側保持具
１２ｂ  差込側保持具
６０  ベビーカー本体
６１  前輪
６２  前脚
６３  後輪
６４  後脚
６５  手押杆
６６  アームレスト
６７  ガードアーム
６８  パイプ
６９  ブラケット
７０  ロック部材
７１  前側連結バー
７２  後側連結バー
７３  連結バー
７５  操作装置
【図１】
0004818537.tif 000002
【図２】
0004818537.tif 000003
【図３】
0004818537.tif 000004
【図４】
0004818537.tif 000005
【図５】
0004818537.tif 000006